(57)【要約】【課題】カメラ付き携帯電話機で、本来の人物や風景撮影と近接して撮影が必要な文字認識等を装置の小型化を維持しながら可能とする。【解決手段】遠方の被写体にピントが合う部分と近傍の被写体にピントが合う部分とが受光素子３２に生じるように、レンズ３１の光軸を受光素子３２の垂直線に対して傾けて取り付ける。制御部は、撮影する被写体の距離に応じて、受光素子３２から画像を切り出す範囲を変化させる。また、制御部は、撮影する被写体の距離に応じて、ファインダーへ映し出す位置を変更する。【選択図】      図３
2004240116.tif 000002
【特許請求の範囲】
【請求項１】
レンズと、前記レンズを通過した光を受ける受光素子とを備え、前記レンズの光軸を前記受光素子の垂直線に対して傾けたことを特徴とするカメラ付き携帯電話機。
【請求項２】
レンズと、前記レンズを通過した光を受ける受光素子とを備え、遠方の被写体にピントが合う部分と近傍の被写体にピントが合う部分とが前記受光素子に生じるように前記レンズの光軸を前記受光素子の垂直線に対して傾けたことを特徴とするカメラ付き携帯電話機。
【請求項３】
撮影する被写体の距離に応じて、受光素子から画像を切り出す範囲を変化させる制御部を備えたことを特徴とする請求項１または２記載のカメラ付き携帯電話機。
【請求項４】
撮影中の画像を映し出すファインダーを備え、前記制御部は撮影する被写体の距離に応じて、ファインダーへ映し出す位置を変更することを特徴とする請求項３記載のカメラ付き携帯電話機。
【請求項５】
キー操作部を有し、前記キー操作部からの入力に従って受光素子から画像を切り出す範囲を移動させる制御部を備えたことを特徴とする請求項１または２記載のカメラ付き携帯電話機。
【請求項６】
撮影中の画像を映し出すファインダーを備え、前記制御部は受光素子から切り出した画像をファインダーへ映し出すことを特徴とする請求項３または５記載のカメラ付き携帯電話機。
【請求項７】
前記制御部は前記受光素子から画像を切り出す面積を変化させることを特徴とする請求項３、４、５または６記載のカメラ付き携帯電話機。
【発明の詳細な説明】
【０００１】
【発明の属する技術分野】
本発明はカメラ付き携帯電話機に関し、特にカメラを内蔵した小型のカメラ付き携帯電話機に関する。
【０００２】
【従来の技術】
現在の携帯電話市場においては、カメラを実装し撮影した画像をメールなどで送信するサービスが人気を呈している。一部の携帯電話においては、カメラを利用して文字認識やバーコードの認識を行う機能も提供している。
【０００３】
しかしながら、本来の人物や風景を撮影するレンズ対受光素子の距離では、近接して撮影が必要な文字認識や、画像認識は困難であり各社レンズの切り替えや、外付けのレンズの追加によりピントを調整するため、機構が複雑かつ装置の小型化の制約となっている。
【０００４】
複数の被写体に対して合焦させるカメラが提案されている（例えば、特許文献１参照。）。
【０００５】
【特許文献１】
特開平４−１９６８７８号公報
【０００６】
【発明が解決しようとする課題】
上述したように、従来のカメラ付き携帯電話機は、レンズの切り替えや、外付けのレンズの追加によりピントを調整するため、機構が複雑かつ装置の小型化の制約となっているという問題点がある。特許文献１に提案された方式でも、駆動モータを必要とするため、同様の問題点がある。
【０００７】
本発明の目的は、本来の人物や風景撮影と近接して撮影が必要な文字認識等を装置の小型化を維持しながら可能とするカメラ付き携帯電話機を提供することにある。
【０００８】
【課題を解決するための手段】
本発明のカメラ付き携帯電話機は、レンズと、前記レンズを通過した光を受ける受光素子とを備え、前記レンズの光軸を前記受光素子の垂直線に対して傾けたことを特徴とする。
【０００９】
本発明のカメラ付き携帯電話機は、レンズと、前記レンズを通過した光を受ける受光素子とを備え、遠方の被写体にピントが合う部分と近傍の被写体にピントが合う部分とが前記受光素子に生じるように前記レンズの光軸を前記受光素子の垂直線に対して傾けたことを特徴としてもよい。
【００１０】
本発明のカメラ付き携帯電話機は、撮影する被写体の距離に応じて、受光素子から画像を切り出す範囲を変化させる制御部を備えたことを特徴としてもよい。
【００１１】
本発明のカメラ付き携帯電話機は、撮影中の画像を映し出すファインダーを備え、前記制御部は撮影する被写体の距離に応じて、ファインダーへ映し出す位置を変更することを特徴としてもよい。
【００１２】
本発明のカメラ付き携帯電話機は、キー操作部を有し、前記キー操作部からの入力に従って受光素子から画像を切り出す範囲を移動させる制御部を備えたことを特徴としてもよい。
【００１３】
本発明のカメラ付き携帯電話機は、撮影中の画像を映し出すファインダーを備え、前記制御部は受光素子から切り出した画像をファインダーへ映し出すことを特徴としてもよい。
【００１４】
本発明のカメラ付き携帯電話機は、前記制御部は前記受光素子から画像を切り出す面積を変化させることを特徴としてもよい。
【００１５】
【発明の実施の形態】
本発明の実施の形態について図面を参照して詳細に説明する。図１は本発明の第１の実施の形態のカメラ付き携帯電話機の外観図である。カメラ付き携帯電話機は、キー操作部１０と表示ファインダー２０とカメラ部３０とを含む。上部筐体と下部筐体とヒンジとを使用して折り畳み可能とするのが一般的である。各部の配置は図１に限定されるものではない。
【００１６】
図２は本実施の形態を説明するための構成ブロック図である。キー操作部１０と表示ファインダー２０とカメラ部３０とメモリ４０と制御部５０とを含む。
【００１７】
キー操作部１０はテンキーや十字キー（図示せず）を有し、使用者が電話やメールの送受信、あるいはカメラでの撮影を行うために使用する。表示ファインダー２０は、画面表示機能とカメラのファインダー機能とを有する。一般にＬＣＤ（ｌｉｑｕｉｄ  ｃｒｙｓｔａｌ  ｄｉｓｐｌａｙ）が用いられる。メモリ４０は、ソフトウェアプログラム、電話やメールの送受信データ、カメラの撮影画像データ等の一時保管を行う。制御部５０は、各部の制御を行う。
【００１８】
図３はカメラ部３０の構成と機能を説明する図である。カメラ部３０はレンズ３１と受光素子３２とを含む。受光素子３２としては、ＣＣＤ（ｃｈａｒｇｅ  ｃｏｕｐｌｅｄｄｅｖｉｃｅ）センサーやＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）センサー等が用いられる。以下、受光素子３２をセンサー３２と記す。レンズ３１の光軸が受光素子の垂直線に対して傾くようにレンズ３１と受光素子３２とを取り付ける。
【００１９】
レンズ３１の焦点距離には、無限遠から到達した光が集まる。カメラでは、一般的に受光素子とレンズの距離を焦点より遠く離すことにより、より近い被写体から発せられた光が結像する。図３のようにレンズ３１の光軸（中心線）をセンサー３２の垂直線からずらすことにより、センサー３２の位置により最適なピントの距離が変化している。この技術は従来より「あおり」、「チルト」などと称されて、風景の手前（画面の下）から奥（画面の上）までピントを合わせる撮影技術としてよく知られているので、詳しい説明は省略する。
【００２０】
次に、第１の実施の形態の動作について説明する。図４、図５、図６はセンサー３２から画像を切り出す概念を示す図である。
【００２１】
実際には図３に示すように被写体は反転して結像するが、ここでは、通常のデジタルカメラのように反転して、実際に肉眼で見える向きになっているとする。
【００２２】
上記の場合、画面の上側ほど遠方にピントが合い、画面の下側ほど近傍にピントが合う。すなわち遠方の被写体を撮影する際は図４に示すように、制御部５０は、画面上部のエリアＡを表示ファインダー２０に表示するとともに、撮影時の画像もエリアＡから取り込む。この際エリアＡの外側は表示ファインダー２０には表示せず、使用者はピントが遠くに切り替わったように見える。ピントが近いエリアＢの扱いについても同様である。さらにエリアＣだけを表示ファインダー２０に表示し、文字認識、バーコードなどの接写機能として使用することも可能である。
【００２３】
エリアＡ、エリアＢ、エリアＣの切り替えは、使用者がキー操作部１０の例えば十字キーを使用して行う。遠方の被写体撮影時にエリアＡの外側は表示ファインダー２０には表示せずエリアＡのみを表示ファインダー２０に表示する制御は制御部５０が行う。
【００２４】
次に、第２の実施の形態について説明する。第１の実施の形態では使用するエリアを、エリアＡ、エリアＢ及びエリアＣと固定的に割り当てたが、第２の実施の形態では、図７に示すようにエリアの位置を任意に移動する。この移動は、使用者がキー操作部１０の例えば十字キーを使用して行う。第１の実施の形態と第２の実施の形態との切り替えも使用者がキー操作部１０を使用して行うようにすることができる。
【００２５】
次に、第３の実施の形態について説明する。第３の実施の形態では、使用するエリアの面積を第１の実施の形態より小さくする。使用するエリアの面積を小さくすることにより、よりピント距離が均一な画像を得ることが可能となる。従って、文字認識する場合の認識率向上等の効果がある。エリアの面積を小さくすることは、使用者がキー操作部１０を操作して指示し、この指示を受けた制御部５０が行う。
【００２６】
次に、第４の実施の形態について説明する。第４の実施の形態では、使用するエリアの面積を第１の実施の形態より広くする。エリアを広くすることにより、画面の下側はピントが近く、上側はピントが遠い画像を作ることも可能である。一般的な風景などでは手前のものは下側に遠くのものは上側に配置されるので、広くピントが合った画像を得ることが可能である。エリアの面積を広くすることは、使用者がキー操作部１０を操作して指示し、この指示を受けた制御部５０が行う。
【００２７】
第４の実施の形態の応用として、上記のレンズ３１とセンサー３２を９０度横に倒して使用すると画面の左右でピントの距離が異なる画面構成となる。ピントが近いエリアに人物を配置して撮影すれば、人物以外のピントがずれてポートレート撮影が可能となる。カメラ付き携帯電話機を９０度傾けて撮影したとき、このような効果が得られる。
【００２８】
【発明の効果】
本発明によれば、固定されたレンズとセンサーにより、ピントの距離が異なる撮影を提供することが可能であり、特に昨今の小型化が進む携帯電話機に搭載するカメラにおいて、機構の複雑化を行う必要がなくなるという効果がある。
【図面の簡単な説明】
【図１】カメラ付き携帯電話機の外観図である。
【図２】カメラ付き携帯電話機の構成ブロック図である。
【図３】カメラ部の構成と機能を説明する図である。
【図４】センサーから画像を切り出す概念を示す図である。
【図５】センサーから画像を切り出す概念を示す図である。
【図６】センサーから画像を切り出す概念を示す図である。
【図７】使用するエリアの位置を任意に移動する例を示す図である。
【符号の説明】
１０    キー操作部
２０    表示ファインダー
３０    カメラ部
３１    レンズ
３２    受光素子
４０    メモリ
５０    制御部
【図１】
2004240116.tif 000003
【図２】
2004240116.tif 000004
【図３】
2004240116.tif 000005
【図４】
2004240116.tif 000006
【図５】
2004240116.tif 000007
【図６】
2004240116.tif 000008
【図７】
2004240116.tif 000009